(57)【要約】【課題】リモコン等の操作装置における設定に慣れているユーザ及び不慣れなユーザいずれも容易に当該設定を行うことができる操作性の良い操作装置を実現する。【解決手段】所定の機器を操作する操作装置であって、所定の情報を表示する表示部と、前記操作に関する指示入力を受け付ける入力部と、時間計測を行う計時部と、前記入力部による前記指示入力の受け付け後、前記計時部により所定時間が経過したことが計測された場合に、前記指示入力に関するガイド情報を前記表示部に表示する表示制御部とを備える操作装置とする。【選択図】図１
2008172524.tif 000002
【特許請求の範囲】
【請求項１】
所定の機器を操作する操作装置であって、所定の情報を表示する表示部と、前記操作に関する指示入力を受け付ける入力部と、時間計測を行う計時部と、前記入力部による前記指示入力の受け付け後、前記計時部により所定時間が経過したことが計測された場合に、前記指示入力に関するガイド情報を前記表示部に表示する表示制御部とを備えることを特徴とする操作装置。
【請求項２】
前記表示制御部は、前記ガイド情報を前記表示部にスクロール表示することを特徴とする請求項１に記載の操作装置。
【請求項３】
前記入力部は、前記指示入力を受け付けるための各種の入力ボタンであって、前記表示制御部は、該各種入力ボタンのボタン操作に関する情報を含む前記ガイド情報を前記表示部にスクロール表示することを特徴とする請求項２に記載の操作装置。
【請求項４】
前記表示制御部は、前記計時部により所定時間が経過したことが計測されるまでの期間、前記表示部における前記スクロール表示される領域に前記指示入力に関するデフォルト情報を表示することを特徴とする請求項２又は３に記載の操作装置。
【請求項５】
前記表示制御部は、前記スクロール表示が開始されてから、前記入力部による指示入力の受け付けが行われず且つ前記計時部により所定時間が経過したことが計測された場合に、該スクロール表示を停止して前記デフォルト情報を表示することを特徴とする請求項４に記載の操作装置。
【請求項６】
前記表示制御部は、前記操作に関する各種設定画面を該設定画面毎に切り替えて前記表示部に階層的に表示するものであることを特徴とする請求項１〜５のいずれかに記載の操作装置。
【請求項７】
前記表示制御部は、前記各種設定画面のうちの所定の設定画面を表示した場合に、該所定の設定画面内に前記ガイド情報をスクロール表示することを特徴とする請求項６に記載の操作装置。
【請求項８】
前記表示制御部は、前記スクロール表示されるガイド情報に応じた前記入力部による指示入力の受け付けが完了した後、前記表示部に通常の表示画面として定める初期設定画面を表示することを特徴とする請求項７に記載の操作装置。
【発明の詳細な説明】
【技術分野】
【０００１】
本発明は、空調設備等のリモコンなどの操作装置に関し、特に、所定の操作ガイド情報を表示可能な操作装置に関するものである。
【背景技術】
【０００２】
近年、空調設備等のリモートコントロール装置（リモコン）や遠隔制御装置（集中制御装置）といった、機器を操作するための操作装置の機能は多様化の一途をたどり、これに伴い種々の設定を行わなければならないようになってきている（例えば特許文献１参照）。これに関し、操作装置の表示部に当該設定（操作）方法についてのガイド情報を表示することで、ユーザがこのガイド情報に従って設定を容易に行えるようにする技術が知られている。
【特許文献１】特開２００４−３４０５６７号公報
【発明の開示】
【発明が解決しようとする課題】
【０００３】
しかしながら、上記操作装置の設定や操作に慣れている、すなわちガイド情報がなくとも設定や操作することが可能なユーザに対しても一律にガイド情報が表示されると、このガイド情報に気を取られてしまうなど、かえって混乱を招くことになる。
【０００４】
本発明は上記事情に鑑みてなされたもので、リモコン等の操作装置における設定（操作）に慣れてないユーザだけでなく、慣れているユーザであっても混乱を招くことなく容易に設定を行うことができ、ひいては操作性の良い操作装置を提供することを目的とする。
【課題を解決するための手段】
【０００５】
本発明に係る操作装置は、所定の機器を操作する操作装置であって、所定の情報を表示する表示部と、前記操作に関する指示入力を受け付ける入力部と、時間計測を行う計時部と、前記入力部による前記指示入力の受け付け後、前記計時部により所定時間が経過したことが計測された場合に、前記指示入力に関するガイド情報を前記表示部に表示する表示制御部とを備えることを特徴とする。
【０００６】
上記構成によれば、表示部によって所定の情報が表示され、入力部によって操作に関する指示入力が受け付けられ、計時部によって時間計測が行われる。そして、表示制御部によって、入力部による指示入力の受け付け後、計時部により所定時間が経過したことが計測された場合に、指示入力に関するガイド情報が表示部に表示される。このように、表示部によりガイド情報が表示されるので、操作装置の設定に慣れていないユーザはこのガイド情報に従って容易に設定することができる。また、このガイド情報の表示は、入力部による指示入力の受け付け後、計時部により所定時間が経過したことが計測された場合に実行されるので、当該設定に慣れているユーザは、ガイド情報に気を取られて混乱されるといったことなく、ガイド情報が表示されるまでの所定時間の間に所要の設定（指示入力）を行うことができる。したがって、設定に慣れてないユーザ及び慣れているユーザ共に容易に設定を行うことができ、ひいては操作性の良い操作装置を実現できる。
【０００７】
また、上記構成において、前記表示制御部は、前記ガイド情報を前記表示部にスクロール表示することが好ましい。これによれば、表示制御部によってガイド情報が表示部にスクロール表示されるので、すなわちガイド情報が“スクロール表示”という動きを伴った表示方法（動画）で表示されるので、ガイド情報が表示されていることが目立つようになるため、上記設定に慣れていないユーザなどに、このガイド情報が視認され易くなり、ひいてはガイド情報に従っての設定が確実に行えるようになる。
【０００８】
また、上記構成において、前記入力部は、前記指示入力を受け付けるための各種の入力ボタンであって、前記表示制御部は、該各種入力ボタンのボタン操作に関する情報を含む前記ガイド情報を前記表示部にスクロール表示することが好ましい。これによれば、表示制御部によって、指示入力を受け付けるための各種入力ボタンのボタン操作に関する情報を含むガイド情報が表示部にスクロール表示されるので、すなわちガイド情報がボタン操作に関する情報を含むので、ユーザは、設定に際してどのボタンを操作すればよいのかを具体的に知ることができ（ガイドが分かり易い）、このガイド情報に従ってより容易に且つ確実に設定が行えるようになる。
【０００９】
また、上記構成において、前記表示制御部は、前記計時部により所定時間が経過したことが計測されるまでの期間、前記表示部における前記スクロール表示される領域に前記指示入力に関するデフォルト情報を表示することが好ましい。これによれば、表示制御部によって、計時部により所定時間が経過したことが計測されるまでの期間、表示部におけるスクロール表示される領域に指示入力に関するデフォルト情報が表示されるので、指示入力（設定）方法が既に分かっているユーザ等は、このデフォルト情報を参考（目印）にするなどして、スクロール表示されるのを待たずに入力動作に移ることができ、ひいてはひいては操作性をより向上させることができる。
【００１０】
また、上記構成において、前記表示制御部は、前記スクロール表示が開始されてから、前記入力部による指示入力の受け付けが行われず且つ前記計時部により所定時間が経過したことが計測された場合に、該スクロール表示を停して前記デフォルト情報を表示することが好ましい。これによれば、表示制御部によって、スクロール表示が開始されてから、入力部による指示入力の受け付けが行われず且つ計時部により所定時間が経過したことが計測された場合に、該スクロール表示を停止してデフォルト情報が表示されるので、すなわち、スクロール表示が開始されてから所定時間、何もアクション（指示入力）がなければスクロール表示が停止されるので、無駄な動作を防止できる。ひいては消費電力を低減することができる。
【００１１】
また、上記構成において、前記表示制御部は、前記操作に関する各種設定画面を該設定画面毎に切り替えて前記表示部に階層的に表示するものであることが好ましい。これによれば、表示制御部によって、操作に関する各種設定画面が該設定画面毎に切り替えられて表示部に階層的に表示されるので、１つの表示部に一度に多くの情報（設定に関する情報）が表示されてユーザがどれから設定すればよいのか迷うといったことなく、例えば全体的な設定内容から詳細な設定内容までを秩序立てて表示することができ、容易に且つ確実に当該設定が行えるようになる。
【００１２】
また、上記構成において、前記表示制御部は、前記各種設定画面のうちの所定の設定画面を表示した場合に、該所定の設定画面内に前記ガイド情報をスクロール表示することが好ましい。これによれば、表示制御部によって、各種設定画面のうちの所定の設定画面が表示された場合に該所定の設定画面内にガイド情報がスクロール表示されるので、ガイド情報のスクロール表示が必要な設定画面に対してのみ（これを所定の設定画面として予め定めておく）、その画面内にスクロール表示することができる、逆に言えば、スクロール表示が不必要な設定画面にはスクロール表示させないようにすることができ、ひいては自由度の高いガイド情報表示が可能となる。
【００１３】
さらに、上記構成において、前記表示制御部は、前記スクロール表示されるガイド情報に応じた前記入力部による指示入力の受け付けが完了した後、前記表示部に通常の表示画面として定める初期設定画面を表示することが好ましい。これによれば、表示制御部によって、スクロール表示されるガイド情報に応じた入力部による指示入力の受け付けが完了した後、表示部に通常の表示画面として定める初期設定画面が（自動的に）表示されるので、指示入力完了後に初期設定画面に戻す指示動作等が不要となり（この初期設定画面を謂わば設定の基点（開始画面）とする次の設定動作に移り易くなり）、また、当該指示入力動作が完了したことが確認できるようになる。
【発明の効果】
【００１４】
本発明によれば、リモコン等の操作装置における設定（操作）に慣れてないユーザだけでなく、慣れているユーザであっても混乱を招くことなく容易に設定を行うことができ、ひいては操作性の良い操作装置を提供することができる。
【発明を実施するための最良の形態】
【００１５】
図１は、本発明の実施形態に係る操作装置１の一構成図である。操作装置１は、例えば、空調機器（設備）等を制御するリモコン（リモートコントロール装置）や遠隔制御装置（集中制御装置）であって、表示部２、入力部３及び制御部４を備えている。
【００１６】
表示部２は、種々の情報を表示するものであり、例えばバックライトを備えた液晶表示器（ＬＣＤ；Liquid Crystal Display）である。表示部２の表示画面における、例えば図１に示すように符号２１で示す上方中央部位置には、設定（操作）に関するガイド情報、ここでは後述の入力部３による指示入力に関するガイド情報が表示される領域（ガイド情報表示領域２１という）を備えている。なお、表示画面中のガイド情報表示領域２１の位置は、上記上方中央部位置のようにユーザに視認され易い位置が好ましい。また、ガイド情報表示領域２１のサイズについても、容易に視認可能なサイズであることが好ましい。また、ガイド情報表示領域２１の形状は、同図に示すように帯状の四角形であってもよいし、これ以外の任意な形状でもよい。
【００１７】
ガイド情報表示領域２１にはガイド情報がスクロール表示される。このガイド情報のスクロール表示については後述する。表示部２の画面には、ガイド情報表示領域２１に表示されるガイド情報の他に（ガイド情報表示領域２１以外の領域には）、現在の設定状況や運転状況を示す情報、或いは現在時刻など、種々の情報が表示される。なお、表示部２に表示される画面のことを設定画面という。表示部２は、このように空調機器の操作に関する各種設定画面を表示する。
【００１８】
入力部３は、上記空調機器の操作に関する指示入力を受け付ける例えば入力ボタンである。この入力ボタンは、同図に示すように、運転を開始したり停止するための入力ボタン３１、温度設定を行うための入力ボタン３２、メニュー選択するための入力ボタン（選択ボタンという）３３、設定内容を切り換えるための入力ボタン（設定切換ボタンという）３４、設定内容の決定を行うための入力ボタン（決定ボタンという）３５、当該設定を解除するための入力ボタン等、種々の入力ボタン（入力ボタン群）からなり、ユーザの指等によって押下されることで当該指示入力が行われる。
【００１９】
ここで、上記ガイド情報表示領域２１に表示されるガイド情報は、具体的には、例えば同図中の符号２２１〜２２３で示す各行の情報ような、或る入力ボタンの表示とその入力ボタンについての使用方法の説明である。ガイド情報として表示されるこの入力ボタンは、入力部３のいずれかの入力ボタンに対応するものである（入力部３以外の入力ボタンではない）、すなわち、当該ガイド情報が表示された設定画面を見ながら操作（選択）可能な入力部３の入力ボタンである。
【００２０】
上記入力ボタンについての使用方法の説明とは、同図に示すように「通常メニュー選択」、「コード変更」、「決定」というような、上記或る入力ボタンはどの様な設定に関して入力するためのボタンであるのかを説明するものである。また、上記或る入力ボタンの表示とは、例えば、符号２２４で示すような選択ボタン３３に表記されているマーク（記号；ここでは白抜きの三角マーク）や、符号２２５で示すような設定切換ボタン３４に表記されているマーク（同じく白抜きの三角マーク；上記選択ボタン３３のマークとは向きが異なっている）、或いは、符号２２６で示すような、決定ボタン３５であることを示す“決定”という文字による表示である。
【００２１】
ただし、このように入力ボタンの表示はマークと文字とが混在したものでなくともよく、全てがマーク或いは全てが文字による表示であってもよい。要は、何れの入力ボタンであるかが判別されるような表示であればよい。また、ガイド情報は符号２２１〜２２３の各行に示す情報に限定されず、任意の表示方法及び表示内容としてよい。
【００２２】
本実施形態では、ガイド情報表示領域２１に、上記符号２２１〜２２３で示す各行のガイド情報が順にスクロール表示される。すなわち、例えば先ず符号２２１で示す行のガイド情報がスクロール表示され、これに引き続いて次の符号２２２で示す行のガイド情報がスクロール表示され、同様にこれに引き続いて符号２２３で示す行のガイド情報がスクロール表示される。
【００２３】
このように、表示部２にガイド情報が表示されるので、特に設定（操作）が不慣れなユーザは、マニュアル等を用いずとも設定を行うことができる。また、ガイド情報が一度に纏めて表示されるのではなく、ここでの各行のように“順に”スクロール表示されていくので、当該スクロール表示される順にガイド情報を読み進みながら、このガイド情報（上記使用方法或いは操作指示）に従ってより容易に設定することができる。また、ガイド情報が“スクロール表示”という動きを伴った表示方法（動画）でスクロール表示されるので、この表示部２にガイド情報が表示されていることが視認され易くなる。なお、後述するように所定時間経過後にスクロール表示が開始されるので、すなわち、スクロール表示されていない“静止画面”の状態であったものが、所定時間後、スクロール表示という“動画面”に切り替わる（パッと切り替わる）ので、ガイド情報が注目され易くなる。
【００２４】
制御部４は、各種制御プログラム等を記憶するＲＯＭ（Read Only Memory）、一時的に各種データを格納するＲＡＭ（Random Access Memory）、及び上記制御プログラム等をＲＯＭから読み出して実行する中央演算処理装置（ＣＰＵ；Central Processing Unit）などからなり、操作装置１の動作制御を司るもの、所謂マイクロコンピュータ（マイコン）である。なお、制御部４は実際には操作装置１の本体部（筐体）１０に内蔵されている。
【００２５】
図２は、制御部４の一例を示すブロック構成図である。制御部４は、入力指示受付部４１、計時部４２及び表示制御部４３を備えている。入力指示受付部４１は、入力部３に受け付けられた指示入力による信号（入力指示信号）を受け付けるものである。計時部４２は、時間計測を行うすなわち経過時間の計測を行うもの（タイマ、カウンタ）である。計時部４２は、例えばＲＴＣ（Real Time Clock）を内蔵し、このＲＴＣを基準として時間計測を行う。
【００２６】
表示制御部４３は、表示部２による設定画面の表示を制御するものである。表示制御部４３は、スクロール表示部４３１、デフォルト情報表示部４３２、階層表示部４３３及び初期画面表示部４３４を備えている。スクロール表示部４３１は、上記ガイド情報のガイド情報表示領域２１へのスクロール表示を制御するものである。スクロール表示部４３１は、入力部３による指示入力の受け付け後、計時部４２により所定時間、例えば２秒間が経過したことが計測されたとき、つまり入力部３に対する所定の操作が完了した後、所定時間（２秒）経過後に、当該ガイド情報のスクロール表示を開始する。
【００２７】
このように、スクロール表示部４３１は、単にガイド情報をスクロール表示するのではなく、所定時間の経過を待った後に、スクロール表示を開始するので、操作装置１の使用方法（設定）に慣れているユーザは、ガイド情報に気を取られて混乱されるといったことなく、この所定時間（２秒）の間に所要の設定（指示入力）を行うことができる。
【００２８】
デフォルト情報表示部４３２は、ガイド情報表示領域２１に所定のデフォルト情報を表示するものである。デフォルト情報表示部４３２は、入力部３による指示入力の受け付け後、計時部４２により所定時間が経過したことが計測されるまでの期間、ここでは上記２秒間、ガイド情報表示領域２１に、ガイド情報のデフォルト情報（入力部３への指示入力に関するデフォルト情報）を表示する。ここでは、図１に示すように、符号２２１で示す行のガイド情報の先頭部分における所定数分の文字が、デフォルト情報として表示されている。
【００２９】
また、デフォルト情報表示部４３２は、上記スクロール表示が開始されてから、入力部３による指示入力の受け付けが行われず且つ計時部４２により所定時間例えば３０秒が経過したことが計測された場合に、該スクロール表示を停止して上記デフォルト情報をガイド情報表示領域２１に表示する。
【００３０】
階層表示部４３３は、上記各種設定画面を該設定画面毎に切り替えて表示部２に階層的に表示するものである。すなわち、階層表示部４３３は例えば図３に示すように、或る階層Ａ、ここでは後述のメイン設定画面が表示される階層を階層Ａ、この階層Ａの設定画面から派生する下の階層Ｂの各設定画面、さらにこの階層Ｂの各設定画面のうちの１つの設定画面から派生する下の階層Ｃの各設定画面というように、順に下の（深い）階層へと設定画面を表示する。
【００３１】
ところで、一般的に、この各階層の設定画面は全て必ずしもガイド情報が必要というわけではない。すなわち図３に示すように、例えば階層Ａや階層Ｂの各設定画面ではガイド情報の表示が必要なく、階層Ｃの例えば設定画面Ｇ１において必要という場合がある。スクロール表示部４３１は、表示部２に、各種設定画面のうちのガイド情報の表示が必要な設定画面（ガイド用設定画面という）が表示されたときに、当該ガイド情報をガイド用設定画面のガイド情報表示領域２１にスクロール表示する。換言すれば、スクロール表示部４３１は、表示部２に表示される設定画面が、ガイド情報の表示が必要なガイド用設定画面か否かを判別し、ガイド用設定画面であると判別した場合にはガイド情報のスクロール表示を行う。ガイド用設定画面でないと判別した場合には当該ガイド情報の表示は行わない。
【００３２】
初期画面表示部４３４は、表示部２に、通常の表示画面として定める初期設定画面（通常画面、デフォルト画面）を表示するものである。初期画面表示部４３４は、スクロール表示されるガイド情報に応じてユーザにより入力部３から指示入力が行われた後、すなわち入力指示受付部４１による各入力指示信号の受け付けが完了した後、表示部２に現在表示されている設定画面を切り替えて初期設定画面を表示する。ただし、この初期設定画面は、階層表示の最上階における１つの設定画面つまりメイン設定画面であってもよいし、途中の階層の設定画面つまり図３では階層Ｃの各設定画面が派生する前の上階の設定画面としてもよい。なお、設定画面Ｇ１に示す操作１〜３との記載は、ガイド情報に応じて行う各種操作（ユーザによる選択ボタン３３や設定切換ボタン３４の指示入力動作）を表している。
【００３３】
図４は、本実施形態に係るガイド情報の表示動作に関するフローチャートである。先ず入力部３により所定の指示入力が受け付けられて表示部２に所定の設定画面が表示される（ステップＳ１）。スクロール表示部４３１は、ステップＳ１において表示される設定画面がガイド用設定画面であるか否かを判別し、ガイド用設定画面でない場合には（ステップＳ２のＮＯ）、ガイド情報の表示は行わず、ステップＳ１での設定画面のまま表示を継続する。ところで、ステップＳ１において設定画面が表示されてから、すなわち入力部３により設定画面を表示するべく所定の指示入力が行われた時点からの経過時間が計時部４２により計測されている。上記ステップＳ２においてガイド用設定画面であると判別された場合に（ステップＳ２のＹＥＳ）、スクロール表示部４３１は、計時部４２により当該指示入力が行われた時点から所定時間例えば２秒が経過したことが計測された（ステップＳ３）時点で、ガイド情報表示領域２１へのガイド情報のスクロール表示を開始する（ステップＳ４）。ただし、このスクロール表示が開始されるまでの２秒間は、デフォルト情報表示部４３２によって、ガイド情報表示領域２１にガイド情報のデフォルト情報が表示される。
【００３４】
次に、上記ステップＳ４においてスクロール表示が開始されてから、計時部４２により所定時間例えば３０秒が経過したことが計測された場合（ステップＳ５のＹＥＳ）、デフォルト情報表示部４３２によって、ガイド情報表示領域２１に上記デフォルト情報が表示され（ステップＳ６）、ステップＳ２に戻される。上記ステップＳ５において３０秒が経過するまでに（ステップＳ５のＮＯ）、ガイド情報に従った入力部３による入力指示が完了すると、すなわち選択ボタン３３や設定切換ボタン３４からの入力指示信号が入力指示受付部４１により受け付けられるとともに（ステップＳ７）、当該設定を完了するべく決定ボタン３５からの入力指示信号が入力指示受付部４１により受け付けられると（ステップＳ８）、初期画面表示部４３４によって表示部２に初期設定画面が表示される（ステップＳ９）。ステップＳ９において表示されている現在の設定画面が、ユーザによる入力部３からの所定の指示入力等に応じて別の設定画面に切り替えられた場合には（ステップＳ１０のＹＥＳ）、ステップＳ１に戻って同様の処理が行われる。現在の設定画面のままである場合には（ステップＳ１０のＮＯ）、フロー終了となる。
【００３５】
以上のように本実施形態に係る操作装置１によれば、表示部２によって所定の情報が表示され、入力部３によって操作に関する指示入力が受け付けられ、計時部４２によって時間計測が行われる。そして、表示制御部４３によって、入力部３による指示入力の受け付け後、計時部４２により所定時間が経過したことが計測された場合に、指示入力に関するガイド情報が表示部に表示される。このように、表示部によりガイド情報が表示されるので、操作装置１の設定に慣れていないユーザはこのガイド情報に従って容易に設定することができる。また、このガイド情報の表示は、入力部３による指示入力の受け付け後、計時部４２により所定時間が経過したことが計測された場合に実行されるので、当該設定に慣れているユーザは、ガイド情報に気を取られて混乱されるといったことなく、ガイド情報が表示されるまでの所定時間の間に所要の設定（指示入力）を行うことができる。したがって、設定に慣れてないユーザ及び慣れているユーザ共に容易に設定を行うことができ、ひいては操作性の良い操作装置１を実現できる。
【００３６】
また、表示制御部４３によってガイド情報が表示部２にスクロール表示されるので、すなわちガイド情報が“スクロール表示”という動きを伴った表示方法（動画）で表示されるので、ガイド情報が表示されていることが目立つようになるため、上記設定に慣れていないユーザなどに、このガイド情報が視認され易くなり、ひいてはガイド情報に従っての設定が確実に行えるようになる。
【００３７】
また、入力部３が、指示入力を受け付けるための各種の入力ボタンとされ、表示制御部４３によって、この各種入力ボタンのボタン操作に関する情報を含むガイド情報が表示部２にスクロール表示されるので、すなわちガイド情報がボタン操作に関する情報を含むので、ユーザは、設定に際してどの入力ボタンを操作すればよいのかを具体的に知ることができ（ガイドが分かり易い）、このガイド情報に従ってより容易に且つ確実に設定が行えるようになる。
【００３８】
また、表示制御部４３によって、計時部４２により所定時間が経過したことが計測されるまでの期間、表示部２におけるスクロール表示される領域（ガイド情報表示領域２１）に指示入力に関するデフォルト情報が表示されるので、指示入力（設定）方法が既に分かっているユーザ等は、このデフォルト情報を参考（目印）にするなどして、スクロール表示されるのを待たずに入力動作に移ることができ、ひいてはひいては操作性をより向上させることができる。
【００３９】
また、表示制御部４３によって、スクロール表示が開始されてから、入力部３による指示入力の受け付けが行われず且つ計時部４２により所定時間が経過したことが計測された場合に、該スクロール表示が停止されてデフォルト情報が表示されるので、すなわち、スクロール表示が開始されてから所定時間、何もアクション（指示入力）がなければスクロール表示が停止されるので、無駄な動作を防止できる。ひいては消費電力を低減することができる。
【００４０】
また、表示制御部４３によって、操作に関する各種設定画面が該設定画面毎に切り替えられて表示部に階層的に表示されるので、１つの表示部２に一度に多くの情報（設定に関する情報）が表示されてユーザがどれから設定すればよいのか迷うといったことなく、例えば全体的な設定内容から詳細な設定内容までを秩序立てて表示することができ、容易に且つ確実に当該設定が行えるようになる。
【００４１】
また、表示制御部４３によって、各種設定画面のうちの所定の設定画面が表示された場合に該所定の設定画面内にガイド情報がスクロール表示されるので、ガイド情報のスクロール表示が必要なガイド用設定画面に対してのみ（各種設定画面のうちの何れの画面がガイド用設定画面であるかは予め定められている）、その画面内にスクロール表示することができる、逆に言えば、スクロール表示が不必要な設定画面にはスクロール表示させないようにすることができ、ひいては自由度の高いガイド情報表示が可能となる。
【００４２】
さらに、表示制御部４３によって、スクロール表示されるガイド情報に応じた入力部３による指示入力の受け付けが完了した後、表示部２に通常の表示画面として定める初期設定画面が自動的に表示されるので、指示入力完了後に初期設定画面に戻す指示入力動作等が不要になるとともに（この初期設定画面を謂わば設定の基点（開始画面）とする次の設定動作に容易に移ることができる）、指示入力動作が完了したことが確認できるようになる。
【図面の簡単な説明】
【００４３】
【図１】本発明の実施形態に係る操作装置の一構成図である。
【図２】図１に示す制御部の一例を示すブロック構成図である。
【図３】設定画面の階層表示について説明するための模式図である。
【図４】本実施形態に係るガイド情報の表示動作に関するフローチャートである。
【符号の説明】
【００４４】
１  操作装置
１０  本体部
２  表示部
２１  ガイド情報表示領域
３  入力部
３３  選択ボタン
３４  設定切換ボタン
３５  決定ボタン
４  制御部
４１  入力指示受付部
４２  計時部
４３  表示制御部
４３１  スクロール表示部
４３２  デフォルト情報表示部
４３３  階層表示部
４３４  初期画面表示部
【図１】
2008172524.tif 000003
【図２】
2008172524.tif 000004
【図３】
2008172524.tif 000005
【図４】
2008172524.tif 000006